(57)【要約】      （修正有）【課題】多点安全絶縁システムのための方法、システム及び装置を提供する。【解決手段】多点絶縁システム１００は、複数の低電圧（ＬＶ）バッテリコンポーネント及び複数の高電圧（ＨＶ）バッテリコンポーネントを接続する１つ又はそれよりも多くのトリガを含む。複数のＬＶバッテリコンポーネントはＬＶバッテリを含む。複数のＨＶバッテリコンポーネントは複数のＨＶバッテリを含む。１つ又はそれよりも多くの絶縁トリガは、少なくとも１つのＬＶバッテリを複数のＨＶバッテリから、又は、複数のＨＶバッテリの第１のサブセットを複数のＨＶバッテリの第２のサブセットから、絶縁するように構成されている。多点絶縁システムは、１つ又はそれよりも多くの絶縁トリガを起動するように構成されている電子制御ユニット（ＥＣＵ）を含む。【選択図】図１
2018007542.tif 000002
【特許請求の範囲】
【請求項１】
車両のための多点安全絶縁システムであって、
低電圧バッテリを含む複数の低電圧バッテリコンポーネント及び高電圧バッテリを含む複数の高電圧バッテリコンポーネントに接続された１つ又はそれよりも多くの絶縁トリガであって、少なくとも１つの前記低電圧バッテリを前記複数の高電圧バッテリから、又は、前記複数の高電圧バッテリの第１のサブセットを前記複数の高電圧バッテリの第２のサブセットから、絶縁するように構成されている、絶縁トリガと、
前記１つ又はそれよりも多くの絶縁トリガを起動するように構成されている、電子制御ユニットと、
を備える、多点安全絶縁システム。
【請求項２】
ユーザディスプレイを有するユーザデバイスと、
１つ又はそれよりも多くの外部データベースと、
前記ユーザデバイスを少なくとも１つの前記電子制御ユニット又は前記１つ又はそれよりも多くの外部データベースに接続するネットワークと、
を更に備える、請求項１に記載の多点安全絶縁システム。
【請求項３】
前記ユーザデバイスは、
前記１つ又はそれよりも多くの外部データベースから前記車両の回路図を獲得し、
前記１つ又はそれよりも多くの絶縁トリガのそれぞれの位置のためのインジケータを表示する、
ように構成されている、請求項２に記載の多点安全絶縁システム。
【請求項４】
前記１つ又はそれよりも多くの外部データベースは複数の車両の複数の回路図を記憶しており、前記複数の回路図の各回路図は、前記複数の車両の個々の車両に対応しており、かつ、前記個々の車両の１つ又はそれよりも多くの絶縁トリガのそれぞれの位置を記述している、請求項３に記載の多点安全絶縁システム。
【請求項５】
前記ユーザデバイスは更に、
前記１つ又はそれよりも多くの絶縁トリガの個々の絶縁トリガを起動するためのユーザインターフェース要素を表示し、
前記ユーザインターフェース要素の選択を受け取り、
前記個々の絶縁トリガを起動するために前記車両に信号を送る、
ように構成されている、請求項３に記載の多点安全絶縁システム。
【請求項６】
前記少なくとも１つの前記低電圧バッテリを前記複数の高電圧バッテリから又は前記複数の高電圧バッテリの前記第１のサブセットを前記複数の高電圧バッテリの前記第２のサブセットから絶縁するために、前記１つ又はそれよりも多くの絶縁トリガは更に、
前記低電圧バッテリと前記１つ又はそれよりも多くの高電圧バッテリとの間の１つ又はそれよりも多くの電気接続を非接続にし、
前記複数の高電圧バッテリの前記第１のサブセットと前記複数の高電圧バッテリの前記第２のサブセットとの間の１つ又はそれよりも多くの電気接続を非接続にし、
電力の発生を停止する、
ように構成されている、請求項１に記載の多点安全絶縁システム。
【請求項７】
前記１つ又はそれよりも多くの電気接続を非接続にするために、前記１つ又はそれよりも多くの絶縁トリガは更に、メカニカルヒューズがとぶように回路を短絡させる、ように構成されている、請求項６に記載の多点安全絶縁システム。
【請求項８】
前記１つ又はそれよりも多くの電気接続を非接続にするために、前記１つ又はそれよりも多くの絶縁トリガは更に、前記複数の高電圧バッテリの前記第１のサブセットと前記複数の高電圧バッテリの前記第２のサブセットとの間に接続された１つ又はそれよりも多くの電気スイッチをトグル的に切り替えるように構成されており、前記スイッチをトグル的に切り替えることにより前記第１のサブセット及び前記第２のサブセットが互いに異なるバッテリパックに電気的に分離され、各バッテリパックは少なくとも１つの高電圧バッテリを構成する、請求項６に記載の多点安全絶縁システム。
【請求項９】
衝撃データを検出するように構成されている１つ又はそれよりも多くの衝撃衝突センサと、
を更に備え、前記電子制御ユニットは更に、
前記衝撃データをしきい値と比較し、
比較結果に基づいて衝撃があったと決定し、
衝撃があったとの決定に応じて、前記１つ又はそれよりも多くの絶縁トリガのうちの少なくとも１つ起動する、
ように構成されている、請求項１に記載の多点安全絶縁システム。
【請求項１０】
前記１つ又はそれよりも多くの絶縁トリガのそれぞれの位置を示すように構成されている１つ又はそれよりも多くのインジケータ
を更に備える、請求項１に記載の多点安全絶縁システム。
【請求項１１】
前記１つ又はそれよりも多くのインジケータは、前記１つ又はそれよりも多くの絶縁トリガのうちの少なくとも１つに到る少なくとも１つの光経路、又は、音声ビーコンを含む、
請求項１０に記載の多点安全絶縁システム。
【請求項１２】
前記複数の高電圧バッテリの前記第１のサブセットを前記複数の高電圧バッテリの前記第２のサブセットから絶縁するために、前記１つ又はそれよりも多くの絶縁トリガは更に、前記複数の高電圧バッテリを高電圧バッテリの複数のサブセットに分離し、高電圧バッテリの前記複数のサブセットの各サブセットは、高電圧バッテリの前記複数のサブセットの他のサブセットと均等の電圧量を有する、ように更に構成されている、請求項１に記載の多点安全絶縁システム。
【請求項１３】
車両の１つ又はそれよりも多くのバッテリを絶縁する方法であって、
１つ又はそれよりも多くのセンサを用いて衝撃衝突データを検出し、
前記衝撃衝突データを安全マージンと比較し、
前記衝撃衝突データが前記安全マージンを越えたと決定し、
１つ又はそれよりも多くのインジケータであって、それぞれが個々の絶縁トリガの個々の位置を表示するインジケータを起動し、
前記個々の絶縁トリガを含む１つ又はそれよりも多くの絶縁トリガを起動するための信号を獲得する、
各段階を備える、方法。
【請求項１４】
更に、
低電圧バッテリと複数の高電圧バッテリとの間の１つ又はそれよりも多くの電気接続を非接続にし、
電力の発生を停止する、
各段階を備える、請求項１３に記載の方法。
【請求項１５】
前記１つ又はそれよりも多くの電気接続を非接続にする段階が、前記低電圧バッテリと前記複数の高電圧バッテリとの間のリレーを開位置にトグル的に切り替える段階を含む、請求項１４に記載の方法。
【請求項１６】
前記１つ又はそれよりも多くの電気接続を非接続にする段階が、メカニカルヒューズがとぶように回路を短絡させる段階を含む、請求項１４に記載の方法。
【請求項１７】
更に、
前記複数の高電圧バッテリの第１のサブセットと前記複数の高電圧バッテリの第２のサブセットとの間の１つ又はそれよりも多くの電気接続を非接続にする、
段階を備える、請求項１４に記載の方法。
【請求項１８】
前記第１のサブセットと前記第２のサブセットとの間の前記１つ又はそれよりも多くの電気接続を非接続にする段階が、前記１つ又はそれよりも多くの電気接続を非接続にするために開くように構成されている１つ又はそれよりも多くの電気リレーに無線信号を送る段階を含む、請求項１７に記載の方法。
【請求項１９】
前記個々の絶縁トリガを含む１つ又はそれよりも多くの絶縁トリガを起動するための信号を獲得する段階が、ユーザデバイスから起動要求を受け取る段階を含む、請求項１４に記載の方法。
【請求項２０】
多点安全絶縁システムであって、
第１の車両のための１つ又はそれよりも多くの絶縁トリガの第１のセットであって、前記第１の車両の少なくとも低電圧バッテリを前記第１の車両の複数の高電圧バッテリから、又は、前記第１の車両の前記複数の高電圧バッテリの或るサブセットを前記第１の車両の前記複数の高電圧バッテリの別のサブセットから、絶縁するように構成されており、前記１つ又はそれよりも多くのトリガの第１のセットのうちの少なくとも１つが、前記第１の車両の特定の位置に位置決めされるように構成されている、絶縁トリガの第１のセットと、
第２の車両のための１つ又はそれよりも多くの絶縁トリガの第２のセットであって、前記第２の車両の少なくとも低電圧バッテリを前記第２の車両の複数の高電圧バッテリから、又は、前記第２の車両の前記複数の高電圧バッテリの或るサブセットを前記第２の車両の前記複数の高電圧バッテリの別のサブセットから、絶縁するように構成されており、前記１つ又はそれよりも多くのトリガの第２のセットのうちの少なくとも１つが、前記第１の車両の前記特定の位置と実質的に同様の位置に位置決めされるように構成されている、絶縁トリガの第２のセットと、
を備える、多点安全絶縁システム。
【発明の詳細な説明】
【技術分野】
【０００１】
本開示は車両の電気コンポーネントを絶縁するシステム及び方法に関する。
【背景技術】
【０００２】
ハイブリッド、プラグインハイブリッド、及び、電気車両は、車両に電力供給する高電圧及び低電圧電気システムを有する。典型的には、高電圧電気システムは電気モータ、ジェネレータ、及びインバータに電力供給し、一方、他のすべての従来型自動車用電気デバイス（例えば、ヘッドライト、ラジオ、計器）は別個の低電圧電気システム（例えば、１２Ｖバッテリ）を用いて電力供給される。事故時に電気システムが安全であり続けるのを確保するために、車両には数多くの安全装置が設計される（例えば、容易に特定可能な高電圧ケーブル、サービスプラグ、及び密封バッテリ）。
【発明の概要】
【０００３】
緊急状態又はアクシデント（例えば、車両衝突又は火災）において、緊急応答者は物理的絶縁トリガを起動する。物理的絶縁トリガでは、緊急応答者に、電気ケーブルのセグメントにアクセスし、切断し、除去すること、ヒューズパネルからヒューズを外すこと、及び／又は、サービスプラグを抜くこと、が求められる。しかしながら、緊急応答者は、電気システムを使用不能にするためにこれらの物理的絶縁トリガの位置を特定して物理的絶縁トリガを起動しなければならない。物理的な絶縁トリガは、異なる形式の車両に対し数多くの異なる位置に配置されるおそれがあり、緊急応答者が物理的絶縁トリガに直ちに直接的にアクセスするのが物理的障害物によって邪魔されるおそれがある。物理的絶縁トリガを探して起動するのに時間を要する。
【０００４】
したがって、車両の電気システムを使用不能にしかつ／又は絶縁する能力を改善する、多点安全応答者絶縁システムのシステム及び方法が必要である。
【０００５】
概して、本開示に記載された主題の一態様は、車両のための多点安全絶縁システムに具現化される。多点絶縁システムは、複数の低電圧バッテリ（ＬＶ）コンポーネント及び複数の高電圧バッテリ（ＨＶ）コンポーネントに接続された１つ又はそれよりも多くの絶縁トリガを含む。複数のＬＶバッテリコンポーネントはＬＶバッテリを含む。複数のＨＶバッテリコンポーネントは複数のＨＶバッテリを含む。１つ又はそれよりも多くの絶縁トリガは、少なくとも１つのＬＶバッテリを複数のＨＶバッテリから、又は、複数のＨＶバッテリの第１のサブセットを複数のＨＶバッテリの第２のサブセットから、絶縁するように構成されている。多点安全絶縁システムは、１つ又はそれよりも多くの絶縁トリガを起動するように構成されている電子制御ユニット（ＥＣＵ）を含む。
【０００６】
これら及び他の実施態様は選択任意に、以下の特徴のうちの１つ又はそれよりも多くを含んでもよい。多点安全絶縁システムは、ユーザディスプレイを有するユーザデバイスと、１つ又はそれよりも多くの外部データベースと、を含んでもよい。ユーザデバイスは、１つ又はそれよりも多くの外部データベースから車両の回路図を獲得し、１つ又はそれよりも多くの絶縁トリガのそれぞれの位置のためのインジケータを表示する、ように構成されてもよい。多点安全絶縁システムは、ユーザデバイスを少なくとも１つの電子制御ユニット又は１つ又はそれよりも多くの外部データベースに接続するネットワークを含んでもよい。１つ又はそれよりも多くの外部データベースは複数の車両の複数の回路図を記憶してもよい。各回路図は、個々の車両に対応してもよく、個々の車両の絶縁トリガのそれぞれの位置を記述してもよい。
【０００７】
ユーザデバイスは、絶縁トリガを起動するためのユーザインターフェース要素を表示してもよい。ユーザデバイスは、ユーザインターフェース要素の選択を受け取り、絶縁トリガを起動するために信号を送ってもよい。１つ又はそれよりも多くの絶縁トリガは、ＬＶバッテリとＨＶバッテリとの間の１つ又はそれよりも多くの電気接続を非接続にし、ＨＶバッテリの第１のサブセットとＨＶバッテリの第２のサブセットとの間の１つ又はそれよりも多くの電気接続を非接続にし、電力の発生を停止する、ように構成されてもよい。１つ又はそれよりも多くの絶縁トリガは、１つ又はそれよりも多くの電気接続を非接続にするために、メカニカルヒューズがとぶように回路を短絡させてもよい。
【０００８】
１つ又はそれよりも多くの絶縁トリガは、複数のＨＶバッテリの第１のサブセットと複数のＨＶバッテリの第２のサブセットとの間に接続された１つ又はそれよりも多くの電気リレー又はスイッチをトグル的に切り替えるように構成され、その結果、第１のサブセット及び第２のサブセットが互いに異なるバッテリパックに電気的に分離され、各バッテリパックは少なくとも１つのＨＶバッテリを構成するようにしてもよい。
【０００９】
多点安全絶縁システムは、衝撃データを検出するように構成されている１つ又はそれよりも多くの衝撃衝突センサを含んでもよい。電子制御ユニットは、衝撃データをしきい値と比較し、比較結果に基づいて衝撃があったと決定する、ように構成されてもよい。電子制御ユニットは、衝撃があったとの決定に応じて、１つ又はそれよりも多くの絶縁トリガのうちの少なくとも１つ起動してもよい。多点安全絶縁システムは、１つ又はそれよりも多くの絶縁トリガのそれぞれの位置を示すように構成されている１つ又はそれよりも多くのインジケータを有してもよい。１つ又はそれよりも多くのインジケータは、１つ又はそれよりも多くの絶縁トリガのうちの少なくとも１つに到る少なくとも１つの光経路、又は、音声ビーコンを含んでもよい。１つ又はそれよりも多くの絶縁トリガは、複数のＨＶバッテリを、均等の電圧量を有する複数のサブセットに分離するように構成されてもよい。
【００１０】
別の態様において、主題は、車両の１つ又はそれよりも多くのバッテリを絶縁する方法に具現化される。方法は、１つ又はそれよりも多くのセンサを用いて衝撃衝突データを検出し、衝撃衝突データを安全マージンと比較する、各段階を含んでもよい。方法は、衝撃衝突データが前記安全マージンを越えたと決定し、１つ又はそれよりも多くのインジケータであって、それぞれが個々の絶縁トリガの個々の位置を表示するインジケータを起動する、各段階を含んでもよい。方法は、個々の絶縁トリガを含む１つ又はそれよりも多くの絶縁トリガを起動するための信号を獲得する段階を含んでもよい。
【００１１】
別の態様において、主題は多点安全絶縁システムに具現化される。多点安全絶縁システムは、第１の車両のための１つ又はそれよりも多くの絶縁トリガの第１のセットと、第２の車両のための１つ又はそれよりも多くの絶縁トリガの第２のセットと、を含む。１つ又はそれよりも多くの絶縁トリガのセットは、個々の車両の、少なくともＬＶバッテリを複数のＨＶバッテリから、又は、複数のＨＶバッテリの或るサブセットを複数のＨＶバッテリの別のサブセットから、絶縁するように構成されてもよい。１つ又はそれよりも多くのトリガの第１のセットは、第１の車両の特定の位置に位置決めされるように構成されてもよく、１つ又はそれよりも多くのトリガの第２のセットは、第１の車両の特定の位置と実質的に同様の位置に位置決めされるように構成されてもよい。
【００１２】
以下の図面及び詳細な説明を検討すれば、当業者には、本発明の他のシステム、方法、特徴、及び、利点が明らかになるであろう。図面に示されるコンポーネント部分は必ずしも縮尺比に従っておらず、本発明の重要な特徴をよりよく説明するために誇張されることもある。
【図面の簡単な説明】
【００１３】
【図１】本発明の一態様による、車両のための多点安全絶縁システムのブロック線図である。
【図２】本発明の一態様による、至る所に配置された絶縁トリガを示す、車両例の内部透視図である。
【図３】本発明の一態様による、車両の電気システム例の回路図である。
【図４】本発明の一態様による、車両の電気システム例のバッテリコンポーネントの回路図である。
【図５】本発明の一態様による、車両の電気コンポーネントを絶縁するプロセス例の流れ図である。
【図６】本発明の一態様による、車両の回路図を表示するグラフィックユーザインターフェース（ＧＵＩ）例の図である。
【図７】本発明の一態様による、車両の電気コンポーネントを絶縁するためのシーケンス図である。
【発明を実施するための形態】
【００１４】
本開示には、電気コンポーネントを実施し、使用不能にし、絶縁するためのシステム、車両、及び方法が開示される。以下の利点の１つ又はそれよりも多くを実現するために、本開示に記載された本主題の特定の実施態様が実施されてもよい。多点安全絶縁システムは、車両アクシデントの場合に、低電圧バッテリ及び高電圧バッテリを含む種々の電気コンポーネントを絶縁し使用不可にする。電気コンポーネントを絶縁することにより、多点安全絶縁システムは、アクシデント後に車両の電気システムにより生ずる電気ハザードを低減する。
【００１５】
多点安全絶縁システムは、遅延なくかつユーザ入力を要することなく電気コンポーネントを使用不能にしかつ／又は絶縁するのに要する時間を短縮することにより、電気コンポーネントにより生ずる安全ハザードを最小限にする。例えば、アクシデントが発生して乗員が不能であるならば、最小の人為的入力、及び、緊急応答者に対する電気ハザードリスクを低減する車両への最小の物理的アクセスでもって、電気コンポーネントが絶縁されてもよい。また、緊急応答者がアクシデント現場に到着したときに、ドライバ、乗員、及び緊急応答者の安全を高めるために、数秒のうちに電気コンポーネントが絶縁されかつ／又は使用不能にされることは重大である。また、多点安全絶縁システムは、緊急応答者の到着前に予防措置を講じてもよい。
【００１６】
多点安全絶縁システムは、緊急応答者が１つ又はそれよりも多くの絶縁トリガを迅速に位置特定できるように、インジケータを提供する。アクシデントの場合に１つ又はそれよりも多くの絶縁トリガが容易に位置特定されそれにより１つ又はそれよりも多くの絶縁トリガを物理的に位置特定するのに必要な時間が大幅に短縮されるように、インジケータは、１つ又はそれよりも多くの絶縁トリガを迅速に位置特定するために、緊急応答者に音声的及び／又は視覚的な手がかりを与える。
【００１７】
他の利益及び利点は、緊急応答者が１つ又はそれよりも多くの絶縁トリガの少なくとも１つの位置を知るように、１つ又はそれよりも多くの絶縁トリガの標準化された位置を含む。電気コンポーネントが適切に絶縁されて電気ハザードのリスクが最小限にされるということが緊急応答者に確保されるように、追加の情報及び状況認識（例えば、電気システムのステータス）が、緊急応答者に提供されてもよい。したがって、緊急応答者は、車両により生ずるドライバ及び又は乗員に対する危険に、正確にアクセスできる。
【００１８】
図１は、車両１０２のための多点安全絶縁システム１００のブロック図である。多点絶縁システム１００は、車両１０２の１つ又はそれよりも多くの電気コンポーネントの絶縁を実施するために、適当にプログラムされた１つ又はそれよりも多くのコンピュータ、プロセッサ、又は、電子制御ユニット（ＥＣＵｓ）を含む。
【００１９】
多点安全絶縁システム１００は、車両１０２に接続された、１つもしくはそれよりも多くの絶縁トリガ１０８及び／又は１つもしくはそれよりも多くの絶縁トリガインジケータ１３８を含む。車両１０２は、少なくとも１つのネットワーク１１０、１つもしくはそれよりも多くの外部データベース１０４、又は、パーソナルデバイス１０６に接続される。
【００２０】
車両１０２は、単数もしくは複数の人間、又は、任意の物質、又は、任意の永久的もしくは一時的に添付された装置を輸送可能な運輸機関であってよい。車両１０２は、自己推進式の車輪付き運輸機関（例えば、自動車、スポーツユーティリティビークル、トラック、バス、バン、又は、他のモータもしくはバッテリにより駆動される車両）であってよい。例えば、車両１０２は、電気車両、ハイブリッド車両、プラグインハイブリッド車両、又は、高電圧（ＨＶ）バッテリコンポーネント１２０、低電圧（ＬＶ）バッテリコンポーネント１３２、モータ１１８、及び／もしくはジェネレータ１３４を含む任意の他の形式の車両であってよい。車両の他の例には、自転車、列車、飛行機、又は、ボート、及び、輸送可能な任意の他の形式の運輸機関が含まれる。車両、例えば車両１０２は、半自律又は自律のものであってよい。すなわち、車両１０２は、人為的入力なしに自己操作又は操縦するものであってよい。自律及び半自律車両は、自律的に又は半自律的に運転するために、１つ又はそれよりも多くのセンサ１２６（例えば、近接センサ）及びナビゲーションユニット（例えば、ナビゲーションユニット１２２）を用いてもよい。
【００２１】
絶縁トリガ１０８は、起動されると、車両１０２の１つ又はそれよりも多くの電気コンポーネント（例えば、ＨＶバッテリコンポーネント１３２及び／もしくはＬＶバッテリコンポーネント１３２）を車両１０２の他の電気コンポーネントから電気的に非接続にする、機械的又は電気的デバイスである。例えば、絶縁トリガ１０８は、絶縁トリガ１０８は、ヒューズ、電気リレー、スイッチ、ケーブル、又は、ヒューズ、接触器、もしくは、リレーを含むサービスプラグであってよい。絶縁トリガインジケータ１３８は、起動されると、個人（例えば、緊急応答者）を１つ又はそれよりも多くの絶縁トリガ１０８のうちの少なくとも１つに案内する又は向かわせる、音声的／視覚的デバイス（例えば、音声ビーコン、光経路、ストロボライト、又は、輝くオレンジ色のケーブル）である。絶縁トリガインジケータ１３８は、１つ又はそれよりも多くの絶縁トリガの位置情報を個人（例えば、緊急応答者）に提供する。例えば、高電圧ケーブルの表面は、当該ケーブルが絶縁トリガであることを示すように点滅するライトを有してもよい。
【００２２】
車両１０２は、ネットワーク１０６に接続されてもよい。ネットワーク１１０（例えば、ローカルエリアネットワーク（ＬＡＮ）、ワイドエリアネットワーク（ＷＡＮ）、セルラネットワーク、デジタル狭域通信（ＤＳＲＣ）、インターネット、又は、これらの組み合わせ）は、車両１０２を１つ又はそれよりも多くの外部データベース１０４に接続する。外部データベース１０４は、互いに異なるサービスプロバイダからのデータベースを含んでもよい。サービスプロバイダは、車両情報（例えば、互いに異なる車両の種々の製造者及びモデルの回路図）を提供してもよい。
【００２３】
回路図は、種々の車両の電気レイアウトを含んでもよい。ユーザデバイス１０６（例えば、スマートフォン、携帯電話、タッチパッド、タブレット、又は、他の通信デバイス）は、１つ又はそれよりも多くの外部データベース１０４に接続されてもよく、車両情報を獲得してもよい。パーソナルデバイス１０６は、車両１０２の製造者、モデル、及び／又は年を示す情報をユーザ（例えば、緊急応答者）又は車両１０２から受け取ってもよい。パーソナルデバイス１０６は、ネットワーク１１０を介して１つ又はそれよりも多くの外部データベース１０４に速やかに（例えば、１０秒未満内）アクセスして１つ又はそれよりも多くの外部データベース１０４から車両情報を獲得してもよい。車両情報は、バッテリ、ケーブル、コネクタ、ヒューズ、リレー、ボックス、絶縁トリガ、並びに／又は、車両１０２の他の電気コンポーネントの位置及びレイアウトを含む、車両の電気コンポーネントの回路図を含んでもよい。
【００２４】
データベースは、サーチ及び検索（例えば、コンピュータ又はプロセッサによる）のために編成された、情報の任意の集まりであり、データベースは、テーブル、図式、クエリ、レポート、又は、他の任意のデータ構造に編成されてもよい。データベースは、任意の和のデータベース管理システムを用いてもよい。外部データベース１０４は、情報を保存又は提供する第三者サーバ又はウェブサイトを含んでもよい。情報は、リアルタイム情報、周期的に更新される情報、又は、ユーザにより入力された情報を含んでもよい。サーバは、サービス（例えば、ファイルへのアクセス、又は、周辺機器の共有）をネットワーク内の他のコンピュータに提供する、ネットワーク内のコンピュータであってもよい。ウェブサイトは、ドメインネームに関連付けられた１つ又はそれよりも多くのリソースの集まりであってもよい。
【００２５】
車両１０２は、エンジン１１４、モータ１１８、ジェネレータ１３４、電子制御ユニット（ＥＣＵ）１１２、メモリ１３６、バッテリ管理及び制御ユニット（ＢＭＣＵ）１１６、高電圧（ＨＶ）バッテリコンポーネント１２０、及び、低電圧（ＬＶ）バッテリコンポーネント１２２を含んでもよい。ＨＶバッテリコンポーネント１２０は、複数のＨＶバッテリ１３０を含む。ＬＶバッテリコンポーネント１２２は、ＬＶバッテリ１３２を含む。また、車両１０２は、ネットワークアクセスデバイス１２４、１つ又はそれよりも多くのセンサ１２６、及び、ユーザインターフェース１２８を含んでもよい。
【００２６】
モータ１１８及び／又はジェネレータ１３４は、電気エネルギを機械的動力（例えば、トルク）に変換し機械的動力を電気エネルギに変換する電気モータ及び電気ジェネレータであってよい。モータ１１８は及び／又はジェネレータ１３４は、ＨＶバッテリコンポーネント１２０に接続されてもよい。モータ１１８は及び／又はジェネレータ１３４は、ＨＶバッテリコンポーネント１３０からのエネルギを機械的動力に変換してもよく、例えば回生制動によりＨＶバッテリ１３０にエネルギを戻してもよい。いくつかの実施態様において、車両１０２は、１つ又はそれよりも多くの追加の動力発生装置（例えば、エンジン１１４）を含んでもよい。エンジン１１４は燃料を燃やして、モータ１１８及び／もしくはジェネレータ１３４により供給される動力の代わりに、並びに／又は、これに加えて、動力を提供する。
【００２７】
ＨＶバッテリコンポーネント１２０は、モータ１１８及び／又はジェネレータ１３４に接続されてもよく、モータ１１８及び／又はジェネレータ１３４に電気エネルギを提供しモータ１１８及び／又はジェネレータ１３４から電気エネルギを受け取ってもよい。ＨＶバッテリコンポーネント１２０は、１つ又はそれよりも多くの再充電可能なＨＶバッテリ１３０及び／又はＨＶケーブルを含んでもよい。
【００２８】
ＢＭＣＵ１１６は、ＨＶバッテリ１３０に接続されてＨＶバッテリ１３０の充電及び放電を制御及び管理してもよい。ＢＭＣＵ１１６は例えば、バッテリセンサ（図示しない）を用いて、ＨＶバッテリ１３０の充電状態（ＳＯＣ）を決定するのに用いられるパラメータを測定してもよい。
【００２９】
ＥＣＵ１１２は、車両１０２のコンポーネントの一部又は全部に、電気的に接続されてもよい。ＥＣＵ１１２は、自動車システムのために特別に設計された１つ又はそれよりも多くのプロセッサ又はコントローラを含んでもよい。ＥＣＵ１１２の機能は、単一のＥＣＵ又は複数のＥＣＵ内で実行される。ＥＣＵ１１２は、１つ又はそれよりも多くのコンポーネントからデータを受け取って、受け取った又は決定されたデータに基づいて１つ又はそれよりも多くのコンポーネントの作用を制御するようにしてもよい。例えば、ＥＣＵ１１２は、パーソナルデバイス１０６、１つ又はそれよりも多くのセンサ１２６、及び／又はネットワークアクセスデバイス１２４からデータを受け取り、それぞれのデバイスから受け取ったデータを統合して、１つ又はそれよりも多くの絶縁トリガ１０８を起動するようにしてもよい。ＥＣＵ１１２はＢＭＣＵ１１６の作用を制御してバッテリ１２０を充電及び放電するようにしてもよい。
【００３０】
ＥＣＵ１１２は、ユーザ入力及び出力を実行するユーザインターフェース１２８に接続されてもよい。ユーザインターフェース１２８は、例えば、１つもしくはそれよりも多くの絶縁トリガを起動するための任意の要求の通知、並びに／又は、ＨＶ及びＬＶバッテリコンポーネントに関するステータス情報を表示する。ユーザインターフェース１２８は、ユーザ入力を受け取ることができる任意のデバイス（例えば、ボタン、ダイアル、マイクロフォン、タッチパッド、もしくは、タッチスクリーン）、及び／又は、出力することができる任意のデバイス（例えば、ディスプレイ、スピーカ、もしくは、再生可能な展示表示装置）を含んでもよい。ユーザインターフェース１２８により、車両１０２のドライバ又は乗員がＥＣＵ１１２と通信可能になる。例えば、ドライバは、ユーザインターフェース１２８を介して、データをＥＣＵ１１２に提供すること、及び／又は、ＥＣＵ１１２からフィードバックを受け取ること、が可能であってもよい。
【００３１】
メモリ１３６はＥＣＵ１１２に接続されてもよい。メモリ１３６は、ＥＣＵ１１２で実行される命令を記憶してもよく、ＲＡＭ又は他の揮発性もしくは不揮発性メモリのうちの１つもしくはそれよりも多くを含んでもよい。メモリ１３６は、非一時的メモリ又はデータストレージデバイス（例えば、ハードディスクドライブ、ソリッドステートディスクドライブ、ハイブリッドディスクドライブ、もしくは、他の適当なデータストレージ）であってもよく、更に、ＥＣＵ１１２が読み込んで実行してもよい機械可読命令を記憶してもよい。
【００３２】
ネットワークアクセスデバイス１２４は、通信ポート又はチャネル（例えば、Ｗｉ−Ｆｉユニット、Ｂｌｕｅｔｏｏｔｈ（登録商標）ユニット、無線周波数識別（ＲＦＩＤ）タグもしくはリーダ、ＤＳＲＣユニット、又は、セルラネットワーク（例えば、３Ｇもしくは４Ｇ）にアクセスするためのセルラネットワークユニットのうちの１つ又はそれよりも多く）を含んでもよい。ネットワークアクセスデバイス１２４は、車両１０２に直接的に接続されていないデバイス及びシステムとの間でデータを送受信してもよい。更に、ネットワークアクセスデバイス１２４は、外部データベース１０４も接続されるネットワーク１０６にアクセスしてもよい。
【００３３】
１つ又はそれよりも多くのセンサ１２６は、車両衝突又は火災に関する電気ハザードの可能性を検出してもよく、衝突衝撃センサ及び／又は熱センサを含んでもよい。衝突衝撃センサは、車両衝突を検出するように構成されてもよい。１つ又はそれよりも多くの衝突衝撃センサは、例えば衝撃の重力（Ｇ力）を測定することにより車両が衝突に関与したときを検出するために、バンパ、ドア、又は、車両の外側の他の位置に位置決めされてもよい。熱センサは、例えば温度を測定することにより、車両内の火を検出するように構成されてもよい。１つ又はそれよりも多くのセンサ１２６は、１つ又はそれよりも多くのエアバッグが展開されたときを検出してもよい。
【００３４】
図２は、至る所に配置された絶縁トリガ２０２を示す、車両１０２の内部透視図である。適切にプログラムされた、１つもしくはそれよりも多くのコンピュータ又はデータ処理装置（例えば、車両１０２のＥＣＵ１１２）は、車両１０２の１つ又はそれよりも多くの電気コンポーネントを絶縁するために、至る所に配置された絶縁トリガ２０４を起動してもよい。
【００３５】
車両１０２は電気システム２００を含む。電気システム２００は、高電圧バッテリコンポーネント１２０、低電圧バッテリコンポーネント１２２、電気モータ１１８、電気ジェネレータ１３４、インバータ／コンバータ２０６、及び、電力ケーブル２０８を含む。ＨＶバッテリコンポーネント１２０は、複数のＨＶバッテリ１３０を有するＨＶバッテリパック２０２を含む。ＨＶバッテリ１３０は、ニッケル水素（ＮｉＭＨ）、リチウムイオン（Ｌｉ−Ｉｏｎ）、又は任意の他の化学であってよい。ＬＶバッテリコンポーネント１２２は、ＬＶバッテリ１３２を含む。典型的には、標準ＬＶバッテリ１３２は１２ボルトである。
【００３６】
電力ケーブル２０８は、ＨＶバッテリパック２０２と、インバータ／コンバータ２０６と、Ａ／Ｃコンプレッサ３０２との間で、高電圧直流（ＤＣ）を運ぶ。インバータ／コンバータ２０６は、電気ジェネレータ１３４及び電気モータ１１８からの交流（ＡＣ）を、ＨＶバッテリパック２０２を再充電するＤＣに変換する。
【００３７】
１つ又はそれよりも多くの絶縁トリガ１０８のうちの少なくとも１つは、至る所に配置された絶縁トリガ２０４である。至る所に配置された絶縁トリガ２０４は、車両１０２の特定の位置に配置されるとともに他の車両に対しても類似の位置にある、絶縁トリガである。至る所に配置された絶縁トリガ２０４は、容易にアクセス可能な位置（例えば、フードの下）に配置されるとともに、エンジン１１４又はＬＶバッテリ１３２の近くに配置され、異なる製造者、モデル、年、及びブランドの種々の車両にわたり、同一又は実質的に類似の位置に配置される。特定の位置は、規格統一委員会によって制定され承諾されて種々の車両製造者及び緊急応答者に伝えられたものであってよい。至る所に配置された絶縁トリガ２０４により、緊急応答者が１つ又はそれよりも多くの絶縁トリガ１０８のうちの少なくとも１つの位置を知ることが可能となる。絶縁トリガの偶発的な起動を阻止する機構が絶縁トリガに結合されてもよい。
【００３８】
図３は、電気システム２００の回路図である。適切にプログラムされた、１つ又はそれよりも多くのコンピュータ又はデータ処理装置（例えば、車両１０２のＥＣＵ１１２又はパーソナルデバイス１０６）は、電気システム２００の１つ又はそれよりも多くの電気コンポーネントを絶縁するために、１つ又はそれよりも多くの絶縁トリガ１０８を起動してもよい。
【００３９】
正極側及び負極側の電気システム２００の高電圧電力ケーブル２０８は、ＨＶバッテリパック２０２に接続されるとともに、１つ又はそれよりも多くの車両遮断リレー３０４，３０６によって制御される。１つ又はそれよりも多くの車両遮断リレー３０４，３０６は、車両１０２が停止されたときに、電流がＨＶバッテリパック２０２から流出するのを停止する。１つ又はそれよりも多くの車両遮断リレー３０４，３０６は、絶縁トリガが起動されたときに、起動されてもよい。
【００４０】
図４は、電気システム２００の回路図である。適切にプログラムされた、１つ又はそれよりも多くのコンピュータ又はデータ処理装置（例えば、車両１０２のＥＣＵ１１２）は、絶縁トリガ（例えば、至る所に配置された絶縁トリガ２０４）が起動されたときに、電気システム２００の１つ又はそれよりも多くの電気コンポーネントを制御し管理し絶縁してもよい。
【００４１】
ＨＶバッテリコンポーネント１２０は、ＨＶバッテリパック２０２を含む。ＨＶバッテリパック２０２は、例えば２７４ボルトの全電圧を有する。ＨＶバッテリパック２０２を、直列接続されうる複数のＨＶサブパック（例えば、４つのＨＶサブパック４１２，４１４，４１６，４１８）に小分けすることにより、全電圧は、全電圧の半分よりも低い、より安全な電圧レベルに離散化されてもよい。各ＨＶサブパックは、ＨＶサブパックを形成するために直列接続されうる１つ又はそれよりも多くのＨＶバッテリを有する。各ＨＶサブパックにおけるＨＶバッテの数は、同じである。いくつかの実施態様において、ＨＶサブパックは一緒にグループ化されてもよく、グループ内のＨＶサブパックの数は、ＨＶサブパックのグループごとに異なっていてもよく、設計制約条件に依存してもよい。
【００４２】
サブパックリレーは、ＨＶサブパック同士の間、又は、１つ又はそれよりも多くのＨＶサブパックのグループ同士の間にあってよい。サブパックリレーが開位置あるときに、アクシデントにおける電気ハザードリスクの全体的な可能性を低減する、全電圧よりも低い電圧レベルをそれぞれが有する複数のモジュールに全電圧レベルが離散化されるように、ＨＶサブパック又はＨＶサブパックのグループは、他のＨＶサブパック又はＨＶサブパックのグループから非接続とされて分離される。閉位置にあるときに、サブパックリレーはすべてのＨＶサブパックを電気的に接続する。例えば、ＨＶサブパック４１２，４１４，４１６，４１８は、１つ又はそれよりも多くのサブパックリレー４０２，４０４，４０６，４０８が閉位置にあるときに、１つ又はそれよりも多くのサブパックリレー４０２，４０４，４０６，４０８を横切って互いに電気的に接続される。
【００４３】
１つ又はそれよりも多くの絶縁トリガ１０８は、ＥＣＵ１１２が１つ又はそれよりも多くのサブパックリレー４０２，４０４，４０６，４０８を開位置にしてＨＶバッテリパック２０２を複数のＨＶサブパック４１２，４１４，４１６，４１８に離散化するようにしてもよい。ＥＣＵ１１２は、アクシデントがないとＥＣＵ１１２が決定したときに閉位置のままである１つ又はそれよりも多くのサブパックリレー４０２，４０４，４０６，４０８を有してもよい。
【００４４】
ＨＶバッテリパック２０２は、１つ又はそれよりも多くのヒューズ（例えば、ヒューズ４１０）を有してもよい。ヒューズは、犠牲デバイスとして作用して、負荷及び／又はソース回路の過電流保護を提供する一種の抵抗である。ヒューズは、過剰の電流が流れたときに、溶けて、ヒューズが接続する回路を中断する、金属ワイヤ又はストリップを有する。
【００４５】
１つ又はそれよりも多くのヒューズ４１０は、短絡されると、複数のサブパック同士間の電気的接続を開放して、ＨＶバッテリパック２０２を複数のＨＶサブパック４１２，４１４，４１６，４１８に離散化する。１つ又はそれよりも多くの絶縁トリガ１０８は、起動されると、１つ又はそれよりも多くのヒューズを短絡する。
【００４６】
ＨＶバッテリコンポーネント１２０及びＬＶバッテリコンポーネント１２２は、ＨＶ／ＬＶメインリレーボックス４２８に接続されてもよい。ＨＶ／ＬＶメインリレーボックス４２８内の１つ又はそれよりも多くのヒューズ（例えば、４２０，４２２）及び１つ又はそれよりも多くのリレー（例えば、リレー４２４，４２６）は、ＨＶバッテリコンポーネント、及び、ＬＶバッテリ１３２を含むＬＶバッテリコンポーネント１２２を互いに電気的に接続してもよい。起動されると、１つ又はそれよりも多くの絶縁トリガ１０８は、ＨＶ／ＬＶメインリレーボックス４２８内の１つ又はそれよりも多くのヒューズ４２０，４２２を短絡し、かつ／又は、１つ又はそれよりも多くのリレー４２４，４２６を開放して、ＨＶバッテリコンポーネント１２０とＬＶバッテリコンポーネント１２２との間の接続を切断しかつ／又は電気的に非接続にして、電気ハザードの可能性を低減してＨＶバッテリパック２０２をＬＶバッテリ１３２から絶縁するようにしてもよい。
【００４７】
ヒューズが短絡されたときに、ユーザは、非接続の電気コンポーネント同士の間（例えば、ＨＶバッテリパック２０２とＬＶバッテリ１３２との間、及び／又は、ＨＶバッテリサブパック４１２，４１４，４１６，４１８同士の間）の電気的接続を再構築するために、ヒューズを取り替えてもよい。１つ又はそれよりも多くのリレーが開放されたときに、ユーザは、開放しているリレーに信号を送ることにより、開放しているリレーをその後に閉じて、ＨＶバッテリパック２０２をＬＶバッテリ１３２に、及び／又は、ＨＶバッテリサブパック４１２，４１４，４１６，４１８同士を、再接続してもよい。
【００４８】
図５は、１つ又はそれよりも多くの絶縁トリガを起動して電気コンポーネントを絶縁するためのプロセスの一例である。適切にプログラムされた、１つもしくはそれよりも多くのコンピュータ又はデータ処理装置（例えば、車両１０２のＥＣＵ１１２）は、車両１０２の１つ又はそれよりも多くの電気コンポーネントを制御し管理し絶縁してもよい。
【００４９】
多点安全絶縁システム１００は、起動要求に応じて、１つもしくはそれよりも多くの絶縁トリガ１０８及び／又は１つもしくはそれよりも多くの絶縁トリガインジケータ１３８を起動する。起動要求は、アクシデント（例えば、衝突、火災、もしくは、他の危険な状況）により、又は、個人、ドライバ、乗員、もしくは、緊急応答者により、引き起こされてもよい。
【００５０】
多点安全絶縁システム１００は、衝撃の程度を含む衝撃衝突データ、及び／又は、車両１０２の温度の測定値を含む熱データに基づいて、危険な状況を検出してもよい（５０２）。多点安全絶縁システム１００は、他の物体（例えば、他の車両、又はガードレール）により発生された車両１０２に対する衝撃の程度、又は、車両１０２の内部及び外部の温度を測定してもよい。車両１０２の至る所に位置決めされた１つ又はそれよりも多くのセンサ１２６は、衝撃衝突データ及び／又は熱データを獲得し収集してもよい。多点安全絶縁システム１００は、衝撃の程度及び／又は車両１０２の温度をしきい値（例えば、３．２５Ｇ、又は、４００℃）と比較してもよい（５０４）。衝撃の程度及び／又は車両１０２の温度がしきい値以上であると、多点安全絶縁システム１００は、危険な状況であると決定する。衝撃の程度がしきい値未満であると、多点安全絶縁システム１００は、危険な状況でないと決定する。
【００５１】
多点安全絶縁システム１００が危険な状況（例えば、衝突又は火災）であると決定すると、多点安全絶縁システム１００は、車両のユーザインターフェース１２８に通知を送ってもよい（５０６）。通知は、危険な状況であることを確認することを要求してもよい。多点安全絶縁システム１００が確認を獲得すると、多点安全絶縁システム１００は、１つ又はそれよりも多くの絶縁トリガインジケータ１３８を起動してもよい（５０８）。多点安全絶縁システム１００は、ユーザインターフェース１２８を介し、危険な状況を確認するユーザ入力（例えば、音声確認、又は、ユーザ選択）をユーザから受け取ってもよい。多点安全絶縁システム１００が危険な状況でないと決定する（例えば、衝突が確認されない）と、多点安全絶縁システム１００は、危険な状況を監視し続ける。多点安全絶縁システム１００が危険な状況であることを確認すると、多点安全絶縁システム１００は起動要求を開始する。
【００５２】
いくつかの実施態様において、多点安全絶縁システム１００は、危険な状況であるか否かを検証しようと試みてもよい第三者サービスプロバイダに通知を送る。いくつかの実施態様において、多点安全絶縁システム１００は、確認要求を送ってから制限時間しきい値（例えば、５分）内に応答を受け取らなければ、危険な状況を自動的に確認する。例えば、ユーザによる応答又は起動がないということは、ユーザが負傷し又は多点安全絶縁システム１００を起動できないことを表しており、起動要求が自動的に起動され又は送られる。
【００５３】
多点安全絶縁システム１００は、パーソナルデバイス１０６（例えば、ドライバの携帯電話、もしくは、緊急応答者のパーソナルデバイス）から、又は、１つもしくはそれよりも多くの絶縁トリガ１０８のうちの１つ（例えば、至る所に配置された絶縁トリガ２０４）の直接起動から、起動要求（５０８）を獲得してもよい。起動要求は、１つもしくはそれよりも多くの絶縁トリガインジケータ１３８及び／又は１つもしくはそれよりも多くの絶縁トリガ１０８を起動する要求である。
【００５４】
絶縁トリガインジケータ１３８は、個人（例えば、緊急応答者）に対し、絶縁トリガ１０８の位置を表す、音声的／視覚的な手がかりである。絶縁トリガインジケータ１３８は、１つもしくはそれよりも多くの絶縁トリガ１０８の近くに配置され、かつ／もしくは、１つもしくはそれよりも多くの絶縁トリガ１０８の位置に指向された通路をライトアップする、光（例えば、ストロボ光）又は光経路、であってよい。いくつかの実施態様において、絶縁トリガインジケータ１３８は、音声的手がかり（例えば、音色）である。手がかりの音声的サウンド又は周波数は、絶縁トリガ１０８の位置と、絶縁トリガインジケータ１３８を起動したパーソナルデバイス１０６との間の距離に基づいて、変化してもよい。例えば、パーソナルデバイス１０６と絶縁トリガ１０８の位置との間の距離が小さくなるにつれて、音声的サウンドの周波数は増大し、当該距離が大きくなるにつれて音声的サウンドの周波数は減少する。
【００５５】
絶縁トリガは、起動されると、複数の低電圧バッテリコンポーネント１２２及び複数の高電圧バッテリコンポーネント１２０を接続するとともに、少なくとも１つのＬＶバッテリ１３２をＨＶバッテリパック２０２から、又は、ＨＶバッテリの或るサブパックをＨＶバッテリの他のサブパックから、絶縁する。
【００５６】
多点安全絶縁システム１００は、危険な状況にある車両１０２のための１つ又はそれよりも多くの絶縁トリガ１０８の位置を決定する車両情報要求を獲得してもよい。車両情報要求は、車両識別情報（例えば、車両１０２の製造者、年、及び／又は、モデル）含んでもよい。他の車両識別情報は、ライセンスプレートナンバ及び／又は車両識別ナンバを含んでもよい。多点安全絶縁システム１００は、車両情報要求をパーソナルデバイス１０６から獲得してもよい。例えば、多点安全絶縁システム１００は、ユーザがパーソナルデバイス１０６において車両１０２に関する情報を入力しうる入力フィールドを表示してもよい。
【００５７】
多点安全絶縁システム１００は、例えば、車両識別情報が車両１０２と関連付けられる外部データベース１０４に車両情報要求を送って車両起動情報を外部データベース１０４から検索することにより、車両識別情報を用いて車両起動情報を獲得する。車両起動情報は、車両識別情報に関連付けられた、車両１０２の回路図を含む。回路図は、１つもしくはそれよりも多くの絶縁トリガ１０８及び／又は車両の電気的多点安全絶縁システム１００の位置（例えば、ＨＶバッテリコンポーネント１２０及び／又はＬＶバッテリコンポーネント１２２の位置）を記載した情報を含む。
【００５８】
いくつかの実施態様において、多点安全絶縁システム１００は、種々の車両の車両起動情報をパーソナルデバイス１０６にあらかじめ保存しておく。多点安全絶縁システム１００は、パーソナルデバイス１０６のメモリにアクセスし、あらかじめ保存された車両起動情報及び獲得された車両情報に基づいて、車両１０２の車両起動情報を特定してもよい。
【００５９】
多点安全絶縁システム１００は、車両１０２の車両１０２起動情報をパーソナルデバイス１０６（例えば、図６に示されるようなグラフィカルユーザインターフェース（ＧＵＩ）に表示してもよい。表示は、車両１０２上の１つもしくはそれよりも多くの絶縁トリガ１０８及び／又は１つもしくはそれよりも多くの絶縁トリガ１３８のそれぞれのためのディスプレイインジケータ（例えば、ディスプレイインジケータ６０２，６０４，６０６，６０８）を含んでもよい。表示は、車両１０２の回路図と、車両１０２の電気コンポーネントと、１つもしくはそれよりも多くの絶縁トリガ１０８及び／又は１つもしくはそれよりも多くの絶縁トリガインジケータ１３８のそれぞれのための１つ又はそれよりも多くのディスプレイインジケータと、を含んでもよい。１つ又はそれよりも多くのディスプレイインジケータ６０２，６０４，６０６，６０８のそれぞれは、車両１０２上の絶縁トリガ１０８及び／又は絶縁トリガインジケータ１３８に対応してもよい。多点安全絶縁システム１００は、１つ又はそれよりも多くのディスプレイインジケータ６０２，６０４，６０６，６０８のうちの１つの選択を受け取ってもよく、この選択は、対応する絶縁トリガ１０８及び／又は絶縁トリガインジケータ１３８のための起動要求を引き起こす。
【００６０】
パーソナルデバイス１０６は、１つ又はそれよりも多くのディスプレイインジケータ６０２，６０４，６０６，６０８のうちの１つの選択を受け取って、１つもしくはそれよりも多くの絶縁トリガ１０８及び／又は絶縁トリガインジケータ１３８を起動する信号を送ってもよい。信号は、１つもしくはそれよりも多くの絶縁トリガ１０８及び／又は絶縁トリガインジケータ１３８に無線で送られてもよい。
【００６１】
個人は、１つ又はそれよりも多くの絶縁トリガ１０８のうちの１つを物理的に起動して、車両１０２の１つ又はそれよりも多くの電気コンポーネントを絶縁するようにしてもよい。例えば、１つ又はそれよりも多くの絶縁トリガインジケータ１３８（例えば、輝くオレンジ色のケーブル）は、個人の注意を１つ又はそれよりも多くの絶縁トリガ１０８（例えば、切断されたときに、１つ又はそれよりも多くの電気コンポーネントを互いに分離し絶縁する特定のケーブル）に向かわせてもよい。いくつかの実施態様において、個人は、第三者サービスプロバイダに連絡して１つもしくはそれよりも多くの絶縁トリガ１０８を起動し、又は、ユーザインターフェース１２８を介して（例えば、音声命令又はユーザインターフェース要素を介して）１つ又はそれよりも多くの絶縁トリガ１０８を直接的に起動してもよい。
【００６２】
多点安全絶縁システム１００は、１つもしくはそれよりも多くの絶縁トリガインジケータ１３８（５１０）及び／又は１つもしくはそれよりも多くの絶縁トリガ１０８（５１２）を起動する。起動信号を、１つもしくはそれよりも多くの絶縁トリガインジケータ１３８及び／又は１つもしくはそれよりも多くの絶縁トリガ１０８に、無線で又は有線接続で、送ってもよい。
【００６３】
多点安全絶縁システム１００は、例えば、車両ヒューズをとばす又はブレーカを倒すことにより、車両１０２における電力の発生を停止してもよい。ヒューズがとばされると、ヒューズ内の要素が溶けるようになる。個人（例えば、整備士又はドライバ）は車両ヒューズを取り替える、又は、ブレーカを倒して、車両の電力発生能力を回復しなければならない。車両ヒューズ又はブレーカを、車両のドライバ側の近くの、ステアリングホイールの下方に位置するパネル内に配置してもよい。
【００６４】
多点安全絶縁システム１００は、１つ又はそれよりも多くの電気接続を非接続にすることにより、少なくとも１つのＬＶバッテリをＨＶバッテリパックから、及び／又は、ＨＶバッテリの或るサブパックをＨＶバッテリの別のサブパックから絶縁する。多点安全絶縁システム１００は、１つもしくはそれよりも多くのリレー（例えば、サブパックリレー４０２，４０４，４０６，４０８）をトグル的に切り替え、かつ／又は、ヒューズ（例えば、ヒューズ４１０）をとばすことにより、１つ又はそれよりも多くの電気接続を非接続にしてもよい。
【００６５】
多点安全絶縁システム１００は、ＬＶバッテリと１つもしくはそれよりも多くのＨＶバッテリ１３０を含むＨＶバッテリパック２０２との間の、及び／又は、互いに異なるＨＶバッテリのサブパック同士間の、１つ又はそれよりも多くの電気接続を非接続にして、車両１０２の１つ又はそれよりも多くの電気コンポーネントを絶縁してもよい。ＨＶバッテリのサブパックは、少なくとも１つのＨＶバッテリを含み、複数のＨＶバッテリを含んでもよい。ＨＶバッテリの互いに異なるサブパックのそれぞれは、組み合わされたＨＶバッテリの全電圧値よりも低い、離散化された電圧レベルを含む。ＨＶバッテリの互いに異なるサブパックを横切る、離散化された電圧レベルは、互いに異なるサブパックすべての間で、互いに等しくても異なっていてもよい。例えば、ＨＶバッテリパック２０２の全電圧は２０１．６ボルトであってよく、ＨＶバッテリパックを、それぞれの離散化された電圧レベルが７．２ボルトである、より低電圧サブパック２８個から形成してもよい。
【００６６】
多点安全絶縁システム１００は、１つもしくはそれよりも多くのリレー４２４，４２６を開位置にトグル的に切り替えて、ＬＶバッテリ１３２をＨＶバッテリパック２０２から電気的に非接続にしてもよく、かつ／又は、１つもしくはそれよりも多くのサブパックリレー４０２，４０４，４０６，４０８をトグル的に切り替えて、ＨＶバッテリの或るサブパックをＨＶバッテリの別のサブパックから電気的に非接続にしてもよい。１つ又はそれよりも多くのリレー４２４，４２６を、サービスプラグ又はＨＶ／ＬＶメインリレーボックス４２８内に配置してもよい。多点安全絶縁システム１００は、多点安全絶縁システム１００が電気ハザードの可能性がないと決定したら、１つもしくはそれよりも多くのリレー４２４，４２６及び／又はサブパックリレー４０２，４０４，４０６，４０８を閉位置にトグル的に切り替えてもよい。例えば、指定された車両販売特約店の整備士は、１つもしくはそれよりも多くのリレー４２４，４２６及び／又はサブパックリレー４０２，４０４，４０６，４０８に信号を送って、開位置と閉位置との間でトグル的に切り替えて、電気コンポーネントを電気的に非接続又は接続にしてもよい。
【００６７】
多点安全絶縁システム１００は、１つもしくはそれよりも多くの特定のリレーをトグル的に切り替えかつ／又は１つもしくはそれよりも多くの特定のヒューズをとばすことにより、熱データ、衝撃衝突データ、及び／又は、ユーザ入力のうちの少なくとも１つに基づいて、１つ又はそれよりも多くの電気コンポーネントを絶縁してもよい。例えば、多点安全絶縁システム１００は、熱データ及び衝撃衝突データに基づいて危険な状況の深刻度を決定し、深刻度に応じて、それぞれが特定の電圧レベルを有する特定数のサブパックにＨＶバッテリを分離してもよい。車両１０２が、火災の危険がない些細なアクシデントに遭遇した（例えば、Ｇ力衝撃が低く、温度上昇がない）のであれば、多点安全絶縁システム１００は、単に、ＨＶバッテリパック２０２をＬＶバッテリ１３２から絶縁してもよく、これに対し、火災の危険がある（例えば、温度がしきい値よりも高い）のであれば、多点安全絶縁システム１００は追加的に、ＨＶバッテリパック２０２をＨＶバッテリの４つのサブパック４１２，４１４，４１６，４１８に区分けしてもよい。
【００６８】
多点安全絶縁システム１００は、車両１０２の電気コンポーネントが非接続にされた後に１つ又はそれよりも多くの絶縁トリガ１０８が起動されたことの表示を提供してもよい。多点安全絶縁システム１００は、車両１０２の電気システムを介しテスト信号を送って、ＬＶバッテリ１３２がＨＶバッテリパック２０２から絶縁されたか、及び／又は、ＨＶバッテリのサブパックが互いに非接続にされたかを決定してもよい。
【００６９】
電気コンポーネントが絶縁されたとの決定に応じて、多点安全絶縁システム１００は、１つ又はそれよりも多くの絶縁トリガインジケータ１３８の状態を変更して、電気コンポーネントが絶縁されたことを表示してもよい。例えば、ストロボ光の色を変更してもよく、音声ビーコンは音色もしくは周波数を変更してもよく、かつ／又は、表示がパーソナルデバイス１０２に送られてもよい。いくつかの実施態様において、１つ又はそれよりも多くの電気コンポーネントが絶縁されるまで、１つ又はそれよりも多くの絶縁トリガインジケータ１３８は起動されたままであり、１つ又はそれよりも多くの電気コンポーネントが絶縁されると、１つ又はそれよりも多くのトリガインジケータ１３８が不能となる。
【００７０】
図６は、パーソナルデバイス１０６のグラフィカルユーザインターフェース（ＧＵＩ）ディスプレイ６００の一例の図である。適切にプログラムされた、１つもしくはそれよりも多くのコンピュータ又は１つもしくはそれよりも多くのデータ処理装置（例えば、図１の多点安全絶縁システム１００のパーソナルデバイス１０６）は、パーソナルデバイス１０６においてＧＵＩディスプレイ６００を実施する。
【００７１】
ＧＵＩディスプレイ６００は、通知、車両の回路図、及び／もしくは、ステータス情報を表示する、かつ／又は、無線により情報を通信する、ように構成されてもよい。通知は、１つ又はそれよりも多くの絶縁トリガ１０８の起動要求を確認する要求を含んでもよい。回路図は、１つもしくはそれよりも多くの絶縁トリガ１０８及び／又は１つもしくはそれよりも多くの絶縁トリガインジケータ１３８の位置を記載した情報を含む。ユーザインターフェース要素（例えば、ディスプレイインジケータ６０２，６０４，６０６，６０８）は、１つもしくはそれよりも多くの絶縁トリガ１０８及び／又は１つもしくはそれよりも多くの絶縁トリガインジケータ１３８のそれぞれに対応する。ＧＵＩは、ディスプレイインジケータ６０２，６０４，６０６，６０８のうちの１つの選択、及び／又は、車両１０２の１つもしくはそれよりも多くの電気コンポーネントを絶縁する起動要求を開始する音声命令を受け取るように構成される。ＧＵＩ６００は、分離されたユーザインターフェース要素（例えば、ディスプレイインジケータ６１０）、並びに／又は、１つもしくはそれよりも多くの絶縁トリガ１０８のすべて及び／又は１つもしくはそれよりも多くの絶縁トリガインジケータ１３８のすべてを同時に起動する音声命令を有してもよい。回路図は、追加の情報（例えば、バッテリパック、高電圧ケーブル、インバータ、及び／又は、ジェネレータの位置を含む、車両の電気システムの回路図）を含んでもよい。
【００７２】
ステータス情報は、１つ又はそれよりも多くの電気コンポーネントの絶縁のステータスを含んでもよい。ＧＵＩ６００は、１つ又はそれよりも多くの電気コンポーネントが分離及び／又は絶縁されている、１つ又はそれよりも多くの領域を、車両１０２の回路図において強調してもよい。例えば、ＬＶバッテリコンポーネント１２２は、青色で覆われてもよく、ＨＶバッテリコンポーネント１２０の部分は、赤色と、首尾よく互いに絶縁されたＬＶバッテリコンポーネント１２２及びＨＶバッテリコンポーネント１２０の異なる部分を示す緑色とで覆われてもよい。ＧＵＩ６００は、起動要求が開始された後に１つ又はそれよりも多くの電気コンポーネントが絶縁されなかった１つ又はそれよりも多くの領域を強調してもよい。例えば、起動要求が開始されたけれどもＨＶバッテリの特定のサブパックがＨＶバッテリの別のサブパックに電気的に接続されていることを１つ又はそれよりも多くのセンサ１２６が示すならば、ＨＶバッテリのサブパックを表す領域が赤色に光ってもよい。
【００７３】
図７は、１つ又はそれよりも多くの電気コンポーネントを絶縁するための多点安全絶縁システム１００のコンポーネントの相互作用のシーケンス７００の一例である。適切にプログラムされた、１つもしくはそれよりも多くのコンピュータ又は１つもしくはそれよりも多くのデータ処理装置（例えば、図１の多点安全絶縁システム１００のＥＣＵ１１２又はパーソナルデバイス１０６）は、１つ又はそれよりも多くの電気コンポーネントを絶縁するために相互作用のシーケンス７００を実行してもよい。
【００７４】
多点安全絶縁システム１００は、起動要求に基づいて、１つ又はそれよりも多くの絶縁トリガ１００を起動する。起動要求は、ユーザ（例えば、緊急応答者）のパーソナルデバイス１０６から獲得され、又は、多点安全絶縁システム１００により開始される。
【００７５】
パーソナルデバイス１０６のユーザは、車両起動情報を獲得するために、パーソナルデバイス１０６内の車両情報（例えば、車両の製造者、モデル、及び、年）を提供してもよい。パーソナルデバイス１０６は、車両識別情報を含む要求を送って１つ又はそれよりも多くの外部データベース１０４から車両起動情報を獲得してもよい（７１４）。１つ又はそれよりも多くの外部データベース１０４は、要求された情報をパーソナルデバイス１０６に送る（７１６）。パーソナルデバイス１０６は、車両起動情報をパーソナルデバイス１０６のグラフィカルユーザインターフェースに表示する。有利には、要求された情報の要求及び受領にかかるのは、この情報を速やかに獲得する緊急性及び必要性のために、１０秒未満である。パーソナルデバイス１０６は、緊急応答者から起動要求のユーザ入力を受け取り（７１８）、車両１０２の１つ又はそれよりも多くの電気コンポーネントを絶縁するために、１つ又はそれよりも多くの絶縁トリガ１０８に信号を送る（７２０）。
【００７６】
１つ又はそれよりも多くのセンサ１２６は、衝撃衝突データ及び熱データを監視し収集する。１つ又はそれよりも多くのセンサ１２６は、収集した衝撃衝突データ及び／又は熱データをＥＣＵ１１２に送る（７０２）。ＥＣＵ１１２は、衝撃衝突データ及び／又は熱データをしきい値と比較して、衝撃衝突データに含まれる衝撃の程度及び／又は熱データに含まれる温度値に基づき、危険が存在するかを決定する（７０４）。衝撃の程度がしきい値以上であると、ＥＣＵ１１２は危険な状況にあると決定し、ＥＣＵ１１２は、ユーザインターフェース１２８及び／又は第三者に確認要求を送って、１つもしくはそれよりも多くの絶縁トリガ１０８及び／又は１つもしくはそれよりも多くの絶縁トリガインジケータ１３８を起動すべきであることを確認してもよい（７０６）。ユーザインターフェース１２８は、受け取った確認をＥＣＵ１１２に送る。ＥＣＵ１１２は、確認の受領に応じて、１つ又はそれよりも多くの絶縁トリガインジケータ１３８を起動する信号を発生する（７１０）。ＥＣＵは、１つ又はそれよりも多くの絶縁トリガ１０８を起動する信号を発生してもよい（７１２）。
【００７７】
１つ又はそれよりも多くの絶縁トリガ１０８は、ＨＶバッテリパック２０２に信号を送る（７２２）とともにＨＶ／ＬＶメインリレーボックス４２８に信号を送って（７２４）、１つもしくはそれよりも多くのリレー及び／もしくはサブパックリレーを開位置にトグル的に切り替え、かつ／又は、回路を短絡させて１つもしくはそれよりも多くのヒューズをとばすことにより、ＬＶバッテリ１３２をＨＶバッテリパック２０２から、及び／又は、ＨＶバッテリのサブパック４１２，４１４，４１６，４１８を互いに、機械的及び／又は電気的に非接続にする。
【００７８】
方法／システムの例示的実施態様が実例スタイルで開示されてきた。したがって、本開示で採用された用語は、非限定的に読まれるべきである。当業者は本開示の教示に些細な変更を加えるであろうけれども、本開示に保証された特許の範囲内に制限されると意図されているものは、本開示が先行技術に対し貢献する進歩の範囲内に合理的に含まれるこのような実施態様すべてであること、並びに、添付の特許請求の範囲及びそれらの均等物を考慮して、当該範囲は減縮されるべきでないことが、理解されるべきである。
【図１】
2018007542.tif 000003
【図２】
2018007542.tif 000004
【図３】
2018007542.tif 000005
【図４】
2018007542.tif 000006
【図５】
2018007542.tif 000007
【図６】
2018007542.tif 000008
【図７】
2018007542.tif 000009
【外国語明細書】
2018007542000001.pdf